(57)【要約】【課題】  本発明は、アクセス時間を短縮して手軽に使える、光ディスクドライブシステム、光ディスクドライブ装置及び該装置の駆動方法を提供する。【解決手段】  本発明の光ディスクドライバシステム及び光ディスクドライバ装置は、異なる波長の光ディスクのラベル印刷面の画像を読み取り、読み取られたラベル印刷面の画像から文字情報を抽出して文字認識して得られた文字情報と光ディスクの種類を判別するために記憶している文字情報とを比較することにより光ディスクの種類を判別し、判別結果に対応して光ディスクドライブ装置の駆動条件を設定する。よって、光ディスクの種類が多くなっても、これまで光ディスクの種類判別にかかっていた時間を短縮して、アクセス時間を早めて手軽に使える光ディスクドライブ装置を提供できる。【選択図】        図１
2006252621.tif 000002
【特許請求の範囲】
【請求項１】
波長の異なる光ディスクの情報記録面に対して記録再生を行う光ディスクドライブ装置と、
光ディスクのラベル印刷面の画像を読み取る画像読取装置と、
該画像読取装置によって読み取られたラベル印刷面の画像から文字情報を抽出して文字認識する文字認識装置と、
該文字認識装置により認識された文字情報と光ディスクの種類を判別するために予め記憶している文字情報とを比較することにより光ディスクの種類を判別する光ディスク判別装置と
を含んで構築することを特徴とする光ディスクドライブシステム。
【請求項２】
前記光ディスクドライブ装置は、前記光ディスク判別装置による判別結果に対応して、前記光ディスクドライブ装置の駆動条件を設定する駆動条件設定手段を有する請求項１記載の光ディスクドライブシステム。
【請求項３】
前記駆動条件設定手段は、前記光ディスク判別装置によって光ディスクの種類を判別された光ディスクに対して、前記光ディスクドライブ手段を駆動するための優先順位の付いた複数の駆動条件を出力する請求項２記載の光ディスクドライブシステム。
【請求項４】
前記駆動条件設定手段は、複数の駆動条件を設定する際に、過去に設定された駆動条件の履歴を参照して複数の駆動条件に優先順位を設定する学習機能を持つ請求項２又は３に記載の光ディスクドライブシステム。
【請求項５】
前記画像読取装置によって読取った画像を表示する画像表示装置を有する請求項１〜４のいずれかに記載の光ディスクドライブシステム。
【請求項６】
前記文字認識装置によって認識された文字情報を表示する画像表示装置を有する請求項１〜４のいずれかに記載の光ディスクドライブシステム。
【請求項７】
波長の異なる光ディスクの情報記録面に対して記録再生を行う光ディスクドライブ手段と、光ディスクのラベル印刷面の画像を読み取る画像読取手段と、該画像読取手段によって読み取られたラベル印刷面の画像から文字情報を抽出して文字認識する文字認識手段と、該文字認識手段により認識された文字情報と光ディスクの種類を判別するために予め記憶している文字情報とを比較することにより光ディスクの種類を判別する光ディスク判別手段と、該光ディスク判別手段による判別結果に対応して、光ディスクドライブ手段の駆動条件を設定する駆動条件設定手段とを有することを特徴とする光ディスクドライブ装置。
【請求項８】
前記画像読取手段は、光ディスクが装置内に挿入される前に光ディスクのラベル印刷面の画像を読み取る請求項７記載の光ディスクドライブ装置。
【請求項９】
前記光ディスク判別手段からの判別結果に対応して、点灯する光源の種類を設定する請求項７又は８に記載の光ディスクドライブ装置。
【請求項１０】
前記光ディスク判別手段からの判別結果に対応して、光源の出力を設定する請求項７又は８に記載の光ディスクドライブ装置。
【請求項１１】
前記光ディスク判別手段からの判別結果に対応して、光ディスクの回転数を設定する請求項７又は８に記載の光ディスクドライブ装置。
【請求項１２】
前記光ディスク判別手段からの判別結果に対応して、光ディスクの回転方式を設定する請求項７又は８に記載の光ディスクドライブ装置。
【請求項１３】
前記光ディスク判別手段からの判別結果に対応して、トラックエラー検出方式を設定する請求項７又は８に記載の光ディスクドライブ装置。
【請求項１４】
光ディスク記録面上に集光するスポットの収差補正手段を有し、前記光ディスク判別手段からの判断結果に対応して、前記収差補正手段の補正量を設定する請求項７又は８に記載の光ディスクドライブ装置。
【請求項１５】
対物レンズに入射する光束の開口径を変更する開口径変換手段を有し、前記光ディスク判別手段からの判断結果に対応して、対物レンズに入射する光束の開口径を設定する請求項７又は８に記載の光ディスクドライブ装置。
【請求項１６】
波長の異なる光ディスクの情報記録面に対して記録再生を行う光ディスクドライブ装置の駆動方法において、
光ディスクのラベル印刷面の画像を読み取る画像読取工程と、読み取られたラベル印刷面の画像から文字情報を抽出して文字認識する文字認識工程と、該文字認識工程により認識された文字情報と光ディスクの種類を判別するために記憶している文字情報とを比較することにより光ディスクの種類を判別する光ディスク判別工程と、該光ディスク判別工程からの判別結果に対応して、光ディスクドライブ装置の駆動条件を設定する駆動条件設定工程とを有することを特徴とする光ディスクドライブ装置の駆動方法。
【発明の詳細な説明】
【技術分野】
【０００１】
本発明は光ディスクドライブシステム、光ディスクドライブ装置及び該装置の駆動方法に関し、詳細には波長の異なる光ディスクの種類の判別可能な光ディスクドライブ装置におけるアクセス時間の短縮技術に関する。
【背景技術】
【０００２】
近年の大容量化メモリの要求に対応して、光ディスクの種類は益々多くなりつつある。これまでは、波長７８５ｎｍ／基板厚１．２ｍｍのＣＤ（コンパクトディスク）規格と波長６６０ｎｍ／基板厚０．６ｍｍのＤＶＤ（デジタルバーサタイズディスク）規格が市場に流通していたが、最近では次世代システムとして、波長４０５ｎｍ／基板厚０．１ｍｍのＢｌｕ−ｒａｙ規格や、波長４０５ｎｍ／基板厚０．６ｍｍのＨＤ−ＤＶＤ規格が流通し始めている。それぞれの規格においては、さらに再生専用のＲＯＭ、一度だけ記録できるＲ、何度でも記録消去可能なＲＷの種類がある。更に、ＤＶＤに至ってはデータフォーマットの違いによって、例えば同じＲＷでも“＋ＲＷ”，“−ＲＷ”，“ＲＡＭ”などの種類に分かれている。また、ＲやＲＷでは記録速度の違いによってディスク種類が異なる。更に、ＤＶＤや次世代システムでは、記録層が２層または多層に形成された種類もある。光ディスクドライブ装置では、光ディスクに記録されたＩＤ情報を読取る前に、先ず光ディスクの種類に対応して、点灯すべき光源、光源出力、回転数、回転方式、トラックエラー検出方式、基板厚の違いにより発生する球面収差の補正量、対物レンズの開口径などを設定する必要がある。これらが適切に設定されて始めて光ディスクの情報を読取ることができる。
【０００３】
一方、光ディスクドライブ装置には、使用者がこれらの光ディスクの種類に煩わされることなく光ディスクを単なる情報記録媒体として手軽に使えるための、互換性やアクセス性能が常に求められている。このためには、ドライブ装置は挿入された光ディスクの種類を自動的にすみやかに判別して、アクセス時間を短縮する必要がある。そこで、光ディスクの種類を自動的に判別する提案がいくつか提案されている。その一つとして、特許文献１によれば、光ディスクの外周端面に外観形状、視認、触診可能な物理的特長を持たせて、ユーザがディスクを手で取り扱うとき容易にディスクの種類を識別できるようにしている。また、特許文献２では、フォーカスエラー信号のピーク値もしくはピークの回数に基づいて光学的記録媒体を判別している。更に、特許文献３では、レーベル面の文字の傾きを検出して、回転制動手段により常に文字が装置前面に正対する位置で停止させて、挿入された光ディスクを操作者が認識しやすくしている。
【特許文献１】特開平８−２４９８０２号公報
【特許文献２】特許第３，１５７，４６０号明細書
【特許文献３】特開２００３−１４１８４４号公報
【発明の開示】
【発明が解決しようとする課題】
【０００４】
しかしながら、特許文献１では、今までの光ディスクの識別ができないばかりか、光ディスクの種類の自動認識ができない。また、特許文献２では、基板厚が同じ種類の光ディスク（ＤＶＤとＨＤ−ＤＶＤなど）の判別ができず、結局装置による光ディスクの種類の自動認識ができないことになる。また、光ディスクの種類の判別のための時間としては数１０秒程度必要となり、このように種類が多くなると判別時間が更に必要になり、光ディスクはもはや、使用者が手軽に使える装置とはいえなくなる恐れがある。
【０００５】
本発明はこのような問題点を解決するためのものであり、光ディスクの種類をすみやかに判別して、点灯すべき光源や光ディスクの回転数などの駆動条件をただちに設定することにより、アクセス時間を短縮して手軽に使える、光ディスクドライブシステム、光ディスクドライブ装置及び該装置の駆動方法を提供することを目的とする。
【課題を解決するための手段】
【０００６】
前記問題点を解決するために、本発明の光ディスクドライブシステムは、波長の異なる光ディスクの情報記録面に対して記録再生を行う光ディスクドライブ装置と、光ディスクのラベル印刷面の画像を読み取る画像読取装置と、画像読取装置によって読み取られたラベル印刷面の画像から文字情報を抽出して文字認識する文字認識装置と、文字認識装置により認識された文字情報と光ディスクの種類を判別するために予め記憶している文字情報とを比較することにより光ディスクの種類を判別する光ディスク判別装置とを含んで構築している。そして、光ディスクドライブ装置は、光ディスク判別装置による判別結果に対応して光ディスクドライブ装置の駆動条件を設定する駆動条件設定手段を有している。よって、光ディスクのラベル面から文字情報を認識し、光ディスクの種類を判別して光ディスクドライブ装置の駆動条件を設定することにより、従来光ディスクの種類判別にかかっていた時間を短縮して、アクセス時間を早めて手軽に使える光ディスクドライブシステムを実現できる。
【０００７】
また、駆動条件設定手段は、光ディスク判別装置によって光ディスクの種類を判別された光ディスクに対して、光ディスクドライブ手段を駆動するための優先順位の付いた複数の駆動条件を出力する。よって、可能性の高い順に優先順位を付けた駆動条件を出力することにより、光ディスク判別のための時間を短縮することができる。また、複数の駆動条件を出力することにより、最初の条件でＩＤ部読取り時にエラーが発生した場合でも、続いて他の条件を試行することができるのでエラーを回避できる。
【０００８】
更に、駆動条件設定手段は、複数の駆動条件を設定する際に、過去に設定された駆動条件の履歴を参照して複数の駆動条件に優先順位を設定する学習機能を持つことにより、光ディスク判別のための時間を短縮することができる。
【０００９】
また、画像読取装置によって読取った画像を表示する画像表示装置を有することにより、あるいは文字認識装置によって認識された文字情報を表示する画像表示装置を有することにより、光ディスク挿入後直ちに、あるいは電源ＯＮの前に装置内に残留していた光ディスクの種類を電源ＯＮ直後画像表示部に表示されたラベル面の画像によって光ディスクの種類を確認することができ、装置も小型化できる。
【００１０】
更に、別の発明としての光ディスクドライバ装置は、波長の異なる光ディスクの情報記録面に対して記録再生を行う光ディスクドライブ手段と、光ディスクのラベル印刷面の画像を読み取る画像読取手段と、画像読取手段によって読み取られたラベル印刷面の画像から文字情報を抽出して文字認識する文字認識手段と、文字認識手段により認識された文字情報と光ディスクの種類を判別するために予め記憶している文字情報とを比較することにより光ディスクの種類を判別する光ディスク判別手段と、光ディスク判別手段による判別結果に対応して、光ディスクドライブ手段の駆動条件を設定する駆動条件設定手段とを有している。このように本発明の光ディスクドライブ装置は、各手段を内蔵することによって、外付け装置を必要とせずに、挿入された光ディスクの種類を判別して、すみやかに駆動することができるようになる。
【００１１】
また、画像読取手段は、光ディスクが装置内に挿入される前に光ディスクのラベル印刷面の画像を読み取ることにより、文字認識や光ディスク判別を開始する時間を早めることができ、さらにアクセス時間が短縮されて操作性が向上する。
【００１２】
更に、駆動条件設定手段は、光ディスク判別手段からの判別結果に対応して、点灯する光源の種類、光源の出力、光ディスクの回転数、光ディスクの回転方式、トラックエラー検出方式、光ディスク記録面上に集光するスポットの収差補正手段の補正量、対物レンズに入射する光束の開口径を変更する開口径変換手段における対物レンズに入射する光束の開口径の駆動条件を設定する。よって、誤りなくＩＤ情報を読取ることができるのでアクセス時間を短縮でき、回転状態に立ち上げることができるので回転が安定するまでの待ち時間を短縮できる。
【００１３】
また、別の発明としての光ディスクドライブ装置の駆動方法によれば、光ディスクのラベル印刷面の画像を読み取る画像読取工程と、読み取られたラベル印刷面の画像から文字情報を抽出して文字認識する文字認識工程と、文字認識工程により認識された文字情報と光ディスクの種類を判別するために記憶している文字情報とを比較することにより光ディスクの種類を判別する光ディスク判別工程と、光ディスク判別工程からの判別結果に対応して、光ディスクドライブ装置の駆動条件を設定する工程とを有することに特徴がある。よって、これまで光ディスクの種類判別にかかっていた時間を短縮して、アクセス時間を早めて手軽に使える光ディスクドライブ装置の駆動方法を提供できる。
【発明の効果】
【００１４】
本発明の光ディスクドライバ装置は、異なる波長の光ディスクのラベル印刷面の画像を読み取り、読み取られたラベル印刷面の画像から文字情報を抽出して文字認識して得られた文字情報と光ディスクの種類を判別するために記憶している文字情報とを比較することにより光ディスクの種類を判別し、判別結果に対応して光ディスクドライブ装置の駆動条件を設定する。よって、これまで光ディスクの種類判別にかかっていた時間を短縮して、アクセス時間を早めて手軽に使える光ディスクドライブ装置を提供できる。
【発明を実施するための最良の形態】
【００１５】
図１は本発明の一実施の形態例に係る光ディスクドライブシステムのシステム構成を示すブロック図である。同図に示す本実施の形態例の光ディスクドライブシステム１００は、主に、光ディスクドライブ装置１０、画像読取装置２０、画像表示装置３０、画像認識装置４０及び光ディスク判別装置５０を含んでシステムを構築している。光ディスクドライブ装置１０は、挿入された光ディスク１とそれを回転するスピンドルモータ１１と、光ピックアップ１２とを含んで構成されている。また、画像読取装置２０は、反射ミラー２１、レンズ２２、２次元撮像素子２３及び画像転送部２４を含んで構成されている。
【００１６】
このようなシステム構成を有する本実施の形態例の光ディスクドライブシステムによれば、図２に示すように光ディスク１の種類や内容などの文字がラベル面３に記載されている光ディスク１のラベル面３の文字情報２の画像は、反射ミラー２１、レンズ２２を介して２次元撮像素子２３上に集光されて２次元撮像素子２３により電気信号に変換されて画像転送部２４から外部の画像表示装置３０へ転送される。画像転送部２４は、ラベル面３の文字情報２の画像を画像表示装置３０と同時に文字認識装置４０へ転送する。文字認識装置４０は、ソフトウェア又はハードウェアによって構成され、ラベル面３の文字情報２の画像から文字情報を抽出して大きさや文字列の傾きなど認識する。よって、画像表示装置３０の画像を文字列の傾きに対応して例えば矢印Ａ方向に回転させて、表示画像を操作者に正対する向きに修正することも可能である。そして、文字認識装置４０によって得られた文字情報は、更に光ディスク判別装置５０へ転送される。光ディスク判別装置５０は、ソフトウェア又はハードウェアによって構成され、認識した文字情報を予め記憶している文字情報と比較することによって、光ディスク１の種類を判別する。例えば光ディスク１のようなラベル面３には、“ＣＤ−Ｒ”または“ｃｏｍｐａｃｔ  ｄｉｓｃ  Ｒｅｃｏｒｄａｂｌｅ”などの一連の文字の組合せやロゴなどの文字情報２の画像が記載されているので、挿入された光ディスク１がＣＤ−Ｒであることが判別される。なお、ラベル面３から読取ることができる光ディスクの判別情報は、ＣＤ／ＤＶＤ／Ｂｌｕ−ｒａｙ／ＨＤ−ＤＶＤの種類、ＲＯＭ／Ｒ／ＲＷ／ＲＡＭの種類、記録速度、容量、メーカー、記録内容などである。そして、得られた光ディスク１の判別情報は、光ディスクドライブ装置１０へ転送されて駆動条件を設定するために使われる。また、画像表示装置３０に転送されて、光ディスクドライブ装置１０に挿入されている光ディスク１の種類を文字情報として表示することも可能となる。
【００１７】
このように光ディスクのラベル面から文字情報を認識し、光ディスクの種類を判別して光ディスクドライブ装置の駆動条件を設定することによって、これまで光ディスクの種類判別にかかっていた時間を短縮して、アクセス時間を早めて手軽に使える光ディスクドライブシステムが実現できる。
【００１８】
なお、ラベル面に有効な文字情報のない光ディスクの場合には、従来のように光ディスクの判別を行うしかないが、ラベル面に有効な文字情報のない光ディスクが装置に挿入される頻度は一般的に少ないので、操作者にとってはアクセス時間の早い手軽な装置となる。
【００１９】
図３は従来の光ディスクドライブシステムの動作を示すフローチャートである。なお、３波長対応光ディスクドライブ装置における光ディスクの種類判別方法の比較である。
【００２０】
同図において、先ず光ディスクが装置に挿入されると、ＣＤ光源を点灯させてＣＤ条件で光ディスクのＩＤ部を読取る（Ｓ１０１）。ＩＤ部がエラーなく読取れれば（ステップＳ１０２；ＹＥＳ）、その内容に従ってその他の駆動条件を設定することにより、セッティングが完了し、記録再生が可能となる（ステップＳ１０３）。ＩＤ部読取り時にエラーが発生した時には（ステップＳ１０２；ＮＯ）、次にＤＶＤ光源を点灯してＤＶＤ条件でＩＤ部を読取る（ステップＳ１０４）。ＩＤ部がエラーなく読取れれば（ステップＳ１０５；ＹＥＳ）、その内容に従ってその他の駆動条件を設定することにより、セッティングが完了する（ステップＳ１０３）。エラーの場合には（ステップＳ１０５；ＮＯ）Ｂｌｕｅ光源を点灯してＢｌｕ−ｒａｙ条件またはＨＤ−ＤＶＤ条件でＩＤ部を読取る（ステップＳ１０６）。ＩＤ部がエラーなく読取れれば（ステップＳ１０７；ＹＥＳ）、その内容に従ってその他の駆動条件を設定することにより、セッティングが完了する（ステップＳ１０３）。エラーの場合、つまり全ての条件でＩＤ部読取りが不可能な時には（ステップＳ１０７；ＮＯ）、駆動不可能な光ディスクと判断して当該光ディスクを排出する（ステップＳ１０８）。なお、各条件の順番はこのようでなくてもかまわないが、いずれにしても多くの光ディスクの種類に対応する従来の光ディスクドライブ装置では、光ディスクの判別に時間がかかっていた。
【００２１】
そこで、本発明の光ディスクドライブシステムの動作を示すフローチャートである図４に示すように、本発明では挿入された光ディスクのラベル面の画像を読取り（ステップＳ２０１）、ラベル面に書かれた文字やロゴを文字認識し（ステップＳ２０２）、予め記憶している文字情報と比較することによって光ディスク判別を行う（ステップＳ２０３）。この判別結果による駆動条件でＩＤ部を読取る（ステップＳ２０４）。ＩＤ部の読取りに失敗したときには（ステップＳ２０５；ＮＯ）、失敗した駆動条件を除いて全ての駆動条件を試すまでこれを繰返す（ステップＳ２０６；ＮＯ、ステップＳ２０３〜Ｓ２０５）。ＩＤ部の読取りに成功したときには（ステップ２０５；ＹＥＳ）、セッティングが完了する（ステップＳ２０８）。全ての駆動条件を試した結果ＩＤ部の読取りに全て成功しなかった場合には（ステップＳ１０６；ＮＯ）、駆動不可能な光ディスクと判断して当該光ディスクを排出する（ステップＳ２０７）。
【００２２】
図５は本実施の形態例の光ディスクドライブシステムにおける一連の光ディスク判別処理を示すフローチャートである。同図において、ラベル面の文字情報と記憶している文字情報を比較し（ステップＳ３０１）、比較した結果両者が一致しない時には（ステップＳ３０２；ＮＯ）、従来例のようにＣＤ／ＤＶＤ／Ｂｌｕｅ条件を逐次試すようなデフォルト条件が設定される（ステップＳ３０４）。一方、ＲＯＭのように、ラベル面と内容が一致している時には（ステップＳ３０２；ＹＥＳ）、図４に示す光ディスクの種別の判別処理を行う（ステップＳ３０４）。判別結果による駆動条件でＩＤ部を読取る（ステップＳ３０５）。ＩＤ部の読取りに失敗したときには（ステップＳ３０６；ＮＯ）、失敗した駆動条件を除いて全ての駆動条件を試すまでこれを繰返す（ステップＳ３０７；ＮＯ、ステップＳ３０１〜Ｓ３０５）。ＩＤ部の読取りに成功したときには（ステップ３０５；ＹＥＳ）、セッティングが完了する（ステップＳ３０８）。全ての駆動条件を試した結果ＩＤ部の読取りに全て成功しなかった場合には（ステップＳ３０６；ＮＯ、ステップ３０７；ＹＥＳ）、駆動不可能な光ディスクと判断して当該光ディスクを排出する（ステップＳ３０９）。
【００２３】
なお、ラベル面が白紙などのブランクディスクでは、認識すべき文字情報が無いためにデフォルト条件を設定することになる。また、ブランクディスクのラベル面にＲＯＭなどのラベル面をコピーした光ディスクでは、文字情報と内容が異なる場合、例えばラベル面には「compact  disc」と書かれているが中身はcompact  disc  recordableである場合ではＩＤ部読取り時にエラーが発生する不具合があった。そこで、ブランクディスクの場合には、例えば優先順位１がＣＤ−Ｒ、優先順位２がＣＤ−ＲＷ、優先順位３がＤＶＤ−Ｒ、優先順位４がＤＶＤ−ＲＷのように可能性の高い順に優先順位を付けて複数の駆動条件を出力することにより、光ディスク判別のための時間を短縮することができる。また、ラベル面からＲＯＭであると判別した場合にも、優先順位１がＲＯＭ、優先順位２がＲ、優先順位３がＲＷというように優先順位を付けた複数の駆動条件を出力することにより、たとえ優先順位１の条件でＩＤ部読取り時にエラーが発生した場合でも、続けて優先順位２、３の条件を試行することにより時間を短縮して、エラーを回避できる。例えばブランクディスクの場合のように、優先順位１がＣＤ−Ｒ、優先順位２がＣＤ−ＲＷ、優先順位３がＤＶＤ−Ｒ、優先順位４がＤＶＤ−ＲＷとしたときは、ユーザがどのブランクディスクを頻繁に使用するかによって、優先順位を変えたほうが光ディスク判別のための時間を短縮することができる。また、通常のＲＯＭであっても光ディスク判別の手がかりとなる文字情報がラベル面に記載されていないディスクなども、図５のステップＳ３０３でデフォルト条件を設定する際には、過去に設定された駆動条件の履歴を記憶してそれを参照することにより常に最適なデフォルト条件を設定することができる。更に、ＲやＲＷのブランクディスクのラベル面にＲＯＭなどのラベル面をコピーした光ディスクを頻繁に使用するユーザについては、図５のステップＳ３０４で判別する際に、ＲＯＭの文字情報が合致した場合でも、ＲやＲＷを優先させたほうが光ディスク判別処理のための時間を短縮することができる。このように、光ディスク判別時やデフォルト条件の設定時に過去に設定された駆動条件の履歴を記憶してこの過去の履歴を参照するような学習機能を光ディスク判別機能に持たせることによって、光ディスク判別のための時間を短縮することができる。
【００２４】
図６は別の発明の第１の実施の形態例に係る光ディスクドライブ装置の構成を示す図であり、同図の（ａ）は外観斜視図、同図の（ｂ）はブロック図である。同図に示す本実施の形態例の光ディスクドライブ装置１０は、図１の画像読取装置２０、画像表示装置３０、画像認識装置４０及び光ディスク判別装置５０を光ディスクドライブ装置に内蔵したものである。同図の（ｂ）に示すように、本実施の形態例の光ディスクドライブ装置１０は、挿入された光ディスク１とそれを回転するスピンドルモータ１１と、光ピックアップ１２と、レンズ１３と、２次元撮像素子１４と、画像転送部１５と、画像認識部１６と、光ディスク判別部１７と、画像表示部１８とを含んで構成されている。これらを内蔵することによって、光ディスクドライブ装置１０は外付け装置を必要とせずに小型化でき、挿入された光ディスク１の種類を判別して、すみやかに駆動することができる。なお、画像表示部１８の一例として、図７に示すように、文字情報表示用画像表示部１８−１や画像表示用画像表示部１８−２であってもよく、これらのいずれか１つでも良い。これらにより、使用者は、光ディスク挿入後直ちに、あるいは電源ＯＮの前に装置内に残留していた光ディスクの種類を電源ＯＮ直後画像表示部に表示されたラベル面の画像によって光ディスクの種類を確認することができ、装置も小型化できる。もちろん、光ディスクの記録面に記録された情報を表示させても良い。
【００２５】
図８は別の発明の第２の実施の形態例に係る光ディスクドライブ装置の構成を示す図であり、同図の（ａ）は外観斜視図、同図の（ｂ）は部分断面図である。同図に示す本実施の形態例の光ディスクドライブ装置６０は、光ディスクが装置内に挿入される前に、光ディスク１のラベル面３の文字情報２の画像を読み取る画像読取部６１を具備している。光ディスク１がトレー６２に載せられると、光ディスク１のラベル面３の文字情報２の画像は、図８の（ｂ）に示すようにレンズ６３及び２次元撮像素子６４で構成される画像読取部６１によって読取られる。このように、光ディスク１が装置内に挿入される前にラベル面３の文字情報２の画像を読み取るので、文字認識や光ディスク判別を開始する時間を早めることができ、更にアクセス時間が短縮されて操作性が向上する。よって、波長の異なる複数の光源を持つ光ディスクドライブ装置は多くの種類の光ディスクを扱うことになり、本発明は特に効果がある。
【００２６】
図９は光ピックアップ部の構成を示すブロック図である。同図に示す光ピックアップ部９００におけるホログラムユニット９０１は、青色レーザ光源９０１−１と、光ディスクからの反射光を回折して必要な信号を得るためのホログラム素子９０１−２、各種信号を生成するための複数領域で構成された受光素子９０１−３を有している。また、ホログラムユニット９０１からの発散光束は、コリメートレンズ９０２で平行光となり、ダイクロイックプリズム９０３、９０４及び収差補正素子９０５を透過して、開口素子９０６で開口径を制限された後に対物レンズ９０７により光ディスク１のある記録層面上に集光する。対物レンズ９０７は青色レーザ光束が光ディスク１の記録層面の基板厚に対して、記録面上にスポットを集光させるような設計になっているものとする。光ディスク１からの反射光は再びホログラムユニット９０１に入射して、受光素子９０１−３によりトラック信号、フォーカス信号、情報信号などを生成する。収差補正素子９０５、開口素子９０６、対物レンズ９０７は図示しないアクチェータにより、トラック信号やフォーカス信号に従ってサーボがかけられて常にディスクの動きに追従して光ディスク１の記録面上に回折限界のスポットを集光する。同様に、ホログラムユニット９０８、９０９は、それぞれ６６０ｎｍのレーザ光源９０８−１、７８５ｎｍのレーザ光源９０９−１を有している。これら３つの波長の異なる光源を持つホログラムユニット９０１、９０８、９０９は、挿入された光ディスク１の種類に対応して駆動される。つまり、ホログラムユニット９０１はｂｌｕ−ｒａｙ又はＨＤ−ＤＶＤ、ホログラムユニット９０８はＤＶＤ、ホログラムユニット９０９はＣＤなどのように対応している。このような光ディスクドライブ装置では、多くの光ディスクが挿入される可能性があるが、光ディスク判別手段９１０の情報に従って、どのホログラムユニットを駆動するかをすみやかに決めることができるためアクセス時間を短縮できる。
【００２７】
また、例えば同じＤＶＤでもＲＯＭ／Ｒ／ＲＷなどの種類によりディスク反射率が異なるため、ＩＤ情報などを再生するための最適な光源出力がそれぞれ異なる。しかし、光ディスク判別手段９１０から得られるこれらの種類に従って最適な光源出力を予め設定しておくことにより、誤りなくＩＤ情報を読取ることができるのでアクセス時間を短縮できる。
【００２８】
更に、光ディスクドライブ装置は、光ディスクを記録再生する場合、光ディスクの倍速仕様の種類に対応してその最適回転数やＣＡＶ、ＣＬＶなどの回転方式が決まっている。従って、光ディスクの倍速仕様の種類が判別されるとただちに、スピンドルモータ９１１をこれらの回転状態に立ち上げることによってスピンドルモータ９１１の回転が安定するまでの待ち時間を短縮できる。
【００２９】
また、図９の収差補正素子９０５は、光ディスク判別手段９１０からの指示によって駆動ドライバ９１２の駆動条件が設定されて、収差補正素子９０５を透過する波面に、基板厚の違いによって発生する球面収差を補正するような球面収差を付加する。収差補正素子９０５は、公知の液晶素子などで構成される。また、このような素子を用いることによって、球面収差補正のみならず、対物レンズや光学素子に各波長毎の収差が存在する場合には、光源に対応してコマ収差や非点収差を補正するような構成も想定できる。光ディスク判別手段からの指示によりＩＤ情報部へアクセスする前に、基板厚の違いや対物レンズ、光学素子の各波長毎の収差を適切に補正するので、誤りなくＩＤ情報を読取ることができ、アクセス時間を短縮できる。
【００３０】
ここで、Ｂｌｕ−ｒａｙ／ＨＤ−ＤＶＤ／ＤＶＤ／ＣＤは最適な対物レンズの開口径が異なるため、これらの種類に対応して対物レンズの開口径を変える必要がある。そこで、図９の開口素子９０６は、光ディスク判別手段９１０からの指示によって駆動ドライバ９１３の駆動条件が設定されて対物レンズ９０７を透過する光束の直径を制限する。開口素子９０６は、公知の液晶素子などで構成される。液晶素子の面には直径の異なる電極が形成されて、例えばＢｌｕ−ｒａｙでは集光スポットのＮＡ（開口数）が０．８５、ＨＤ−ＤＶＤでは０．６５、ＤＶＤでは０．６５、ＣＤでは０．５０相当の透過開口部となるように駆動される。光ディスクのこれらの種類に対応して、最適な対物レンズの開口径を設定できるので、集光スポット径を最適にして誤りなくＩＤ情報を読取ることができ、アクセス時間を短縮できる。
【００３１】
なお、光ディスクの種類が、ＲＯＭ／Ｒ／ＲＷ／ＲＡＭなどによって最適なトラックエラー検出方式が異なる。例えばＲＯＭではＤＰＤ検出方式、ＲやＲＷではＤＰＰ検出方式が望ましい。
【００３２】
図１０は図９のホログラムユニットの構成の一例を示す図である。同図の（ａ）に示すように、光源１００１からの光束は、３ビーム用のグレーティング１００２でメインビーム（０次光）と２つのサブビーム（±１次光）の３ビームに分割されて、ディスク面に集光、反射して再びホログラムユニットへ戻ってくる。ホログラム１００３の面において同図の（ｂ）における実線の円がメインビームの戻り光、点線の円がサブビームの戻り光とする。ホログラム１００３により、領域Ｘに入射した戻り光のうち、メインビームは受光素子Ａ，Ｂの境界線上に回折されて、フォーカス信号を生成する。２つのサブビームはそれぞれ受光素子Ｅ，Ｆへと回折される。同様に、領域Ｙに入射した戻り光のうち、メインビームは受光素子Ｃへ、２つのサブビームはそれぞれ受光素子Ｇ，Ｈへと回折される。更に、同様に、領域Ｚに入射した戻り光のうち、メインビームは受光素子Ｄへ、２つのサブビームはそれぞれ受光素子Ｉ，Ｊへと回折される。ここで、戻り光のトラックパターンが同図の（ｂ）のように左右に、つまり光ディスクの半径方向に発生すると、各トラック信号は以下のように演算することによって得られる。
【００３３】
ＤＰＤ＝（Ｃ、Ｄ信号の位相差を演算するＤＰＤ回路によって得られる）                                              ・・・（１）
ＤＰＰ＝（Ｃ−Ｄ）−ｋ（（Ｇ＋Ｈ）−（Ｉ＋Ｊ））
ｋ：定数                                      ・・・（２）
【００３４】
図１０の（ｂ）に示すように、マトリクス演算回路１００６はこれらのＤＰＤ回路や定数ｋを持ったマトリクス演算回路である。また、光ディスク判別手段１００７は、光ディスクの種類（ＲＯＭかＲ、ＲＷ）に対応してマトリクス演算回路１００６が出力するトラックエラー信号の種類を切替える。ＲＯＭ／Ｒ／ＲＷ／ＲＡＭなどの光ディスクの種類によって、光ディスク判別手段が最適なトラックエラー検出方式を設定するので、トラックはずれやトラックオフセットのないサーボ状態が実現されて、誤りなくＩＤ情報を読取ることができるのでアクセス時間を短縮できる。
【００３５】
なお、Ｂｌｕ−ｒａｙとＨＤ−ＤＶＤは光源波長が同一であるが、基板厚がそれぞれ０．１ｍｍ、０．６ｍｍと異なるためにディスク面集光スポットの球面収差補正が必要である。また、Ｂｌｕ−ｒａｙ／ＨＤ−ＤＶＤやＤＶＤは記録層のＬ０層の他にＬ１，Ｌ２，Ｌ３層の異なる記録層を持つタイプもあり、Ｌ０層以外の記録層に記録再生する場合にも球面収差補正が必要である。
【００３６】
なお、本発明は上記各実施の形態例に限定されるものではなく、特許請求の範囲内の記載であれば多種の変形や置換可能であることは言うまでもない。
【図面の簡単な説明】
【００３７】
【図１】本発明の一実施の形態例に係る光ディスクドライブシステムのシステム構成を示すブロック図である。
【図２】光ディスクのラベル面を示す図である。
【図３】従来の光ディスクドライブシステムの動作を示すフローチャートである。
【図４】本発明の光ディスクドライブシステムの動作を示すフローチャートである。
【図５】本実施の形態例の光ディスクドライブシステムにおける一連の光ディスク判別処理を示すフローチャートである。
【図６】別の発明の第１の実施の形態例に係る光ディスクドライブ装置の構成を示す図である。
【図７】本実施の形態例の光ディスクドライブ装置の画像表示部の一例を示す図である。
【図８】別の発明の第２の実施の形態例に係る光ディスクドライブ装置の構成を示す図である。
【図９】光ピックアップ部の構成を示すブロック図である。
【図１０】図９のホログラムユニットの構成の一例を示す図である。
【符号の説明】
【００３８】
１；光ディスク、１０；光ディスクドライブ装置、
１１；スピンドルモータ、１２；光ピックアップ、
１３，２２；レンズ、１４，２３；２次元撮像素子、
１５，２４；画像転送部、１６；画像認識部、
１７；光ディスク判定部、１８；画像表示部、
２０；画像読取装置、２１；反射ミラー、３０；画像表示装置、
４０；画像認識装置、５０；光ディスク判別装置、
１００；光ディスクドライバシステム。
【図１】
2006252621.tif 000003
【図２】
2006252621.tif 000004
【図３】
2006252621.tif 000005
【図４】
2006252621.tif 000006
【図５】
2006252621.tif 000007
【図６】
2006252621.tif 000008
【図７】
2006252621.tif 000009
【図８】
2006252621.tif 000010
【図９】
2006252621.tif 000011
【図１０】
2006252621.tif 000012